(57)【要約】【課題】本発明は、天井板に対する補強構造に影響されることなく化粧カバーを確実に支持部材に脱着でき作業性の向上と、構成部品の破損を防止して信頼性の向上を得られる天井用換気扇を提供する。【解決手段】換気扇本体１は、部屋Ｒの天井板１０の取付け用開口部１０ａに取付けられて天井裏に配設され、部屋に臨ませられる開口部１２を有して内部に送風機１５を収容し、取付け部２２を有する支持部材３は換気扇本体の開口部に対向して設けられ、化粧カバー２は係合片部Ｋを有し、ばね部材４は化粧カバーの係合片部が挿入される環状部３５と、２本の腕部３６を備え換気扇本体の開口部に化粧カバーを部屋側から脱着自在に取付け保持し、支持部材における取付け部は高さ方向に異なる位置に第１の取付け部２２Ａと、第２の取付け部２２Ｂを備え、ばね部材は必要な高さ位置の取付け部を選択して取付けられる。【選択図】      図１
2005134033.tif 000002
【特許請求の範囲】
【請求項１】
部屋の天井板に設けられる取付け用開口部に取付けられて天井裏に配設され、部屋に臨ませられる開口部を有するとともに、内部にファンとファン駆動用モータからなる送風機を収容する換気扇本体と、
この換気扇本体の開口部に対向して設けられ、取付け部を有する支持部材と、
係合部を有する化粧カバーと、
この化粧カバーの係合部が挿脱自在に挿入される環状部およびこの環状部と一体に設けられ互いの弾性拡がり力により上記換気扇本体に設けられる支持部材の取付け部に弾性的に保持される２本の腕部を備え、換気扇本体の開口部に化粧カバーを部屋側から脱着自在に取付け保持する弾性掛止部材とを具備し、
上記支持部材における取付け部は、高さ方向の異なる位置に上記弾性掛止部材が必要な高さ位置の取付け部を選択して取付けられる複数の取付け部が備えられることを特徴とする天井用換気扇。
【発明の詳細な説明】
【技術分野】
【０００１】
本発明は、部屋の天井裏に配設され、部屋の空気を吸引して外部へ排気する天井用換気扇に関する。
【背景技術】
【０００２】
部屋の天井裏に配設され、部屋の空気を吸込んでダクトを介し外部へ排気する天井用換気扇が多用されている。この天井用換気扇は、部屋に臨んで開口部を有し、内部にファンとファン駆動用モータとからなる送風機を収容し、かつダクトが接続される換気扇本体と、この換気扇本体の開口部を閉成し、部屋内に露出する吸込みグリルを備えた化粧カバーとから構成される。
【０００３】
ほとんど密閉された状態であるとともに、人が居住する部屋の空気が汚れることは避けられない。ある程度の期間が経過すると、天井用換気扇を通過する汚れた空気の影響で化粧カバーに埃や煙草の煙に含まれるヤニなどが付着し美観が損なわれる。したがって、適宜期間が経過したら化粧カバーを取外し、化粧カバーに付着する汚れを除去する作業、いわゆるメンテナンスが必要である。
【０００４】
上記化粧カバーは天井板に位置するので、メンテナンスの際は脚立や踏み台等を利用しなければならず立場が不安定であるうえに、天井板を見上げる無理な姿勢を強いられて作業的に不利である。そこで、［特許文献１］には、化粧カバーの脱着作業を容易化した天井用換気扇が記載されている。  
この［特許文献１］の技術を概略説明すると、換気扇本体側に支持部を備えたケーシングブリッジが設けられていて、上記支持部にはねじりコイルばねの腕部が受け支持され、ねじりコイルばねの環状部には化粧カバーに設けられる金具が挿入される。化粧カバーは両腕部の拡がり力によって引き上げられ、換気扇本体の開口部を覆う。
【特許文献１】特開平７−２３９１４３号公報
【発明の開示】
【発明が解決しようとする課題】
【０００５】
ところで、天井板自体は比較的薄い板体である反面、換気扇本体は送風機を収容しているところからある程度の重量があるので、換気扇本体を取付ける天井板部位は頑丈な補強構造を採用しなければならない。この補強構造について一定した形はなく、必要に応じて適宜異なる。  
そのため、採用される補強構造によって天井板と［特許文献１］の換気扇本体に設けられる支持部との距離が変り、支持部に取付けられるねじりコイルばねの環状部位置と天井板との距離が一定しない。ある程度の量の位置ずれは、ねじりコイルばねにおける腕部のストロークで吸収できるが、所定量を超えた位置ずれではコイルばねに対する受け支持が不可能になってしまう。
【０００６】
たとえ、ねじりコイルばねを強引に引き出して無理な状態で化粧カバーを取付けたとしても、化粧カバーと支持部との取付け間隔が大きくなると、金具が挿入されるねじりコイルばねの環状部と支持部との間隔が伸びる。そのため、ねじりコイルばねの左右の腕部による上方への引張り力も大になって、環状部を介して金具に大きな荷重がかかり、化粧カバーに対して金具が破損し易くなる。
【０００７】
本発明は上記課題に着目してなされたもので、その目的とするところは、換気扇本体の支持部材に化粧カバーの掛止部材を係脱自在とすることを前提として、天井板に対する補強構造に影響されることなく化粧カバーを確実に支持部材に脱着でき作業性の向上と、構成部品の破損を防止して信頼性の向上を得られる天井用換気扇を提供しようとするものである。
【課題を解決するための手段】
【０００８】
本発明の天井用換気扇は上述の目的を満足するためなされたものであり、換気扇本体は部屋の天井板に設けられる取付け用開口部に取付けられて天井裏に配設され部屋に臨ませられる開口部を有するとともに内部にファンとファン駆動用モータからなる送風機を収容し、取付け部を有する支持部材は換気扇本体の開口部に対向して設けられ、化粧カバーは係合部を有し、弾性掛止部材は化粧カバーの係合部が挿脱自在に挿入される環状部および環状部と一体に設けられ互いの弾性拡がり力により支持部材の取付け部に弾性的に保持される２本の腕部を備え換気扇本体の開口部に化粧カバーを部屋側から脱着自在に取付け保持し、支持部材における取付け部は高さ方向の異なる位置に上記弾性掛止部材が必要な高さ位置の取付け部を選択して取付けられる複数の取付け部が備えられる。
【発明の効果】
【０００９】
本発明によれば、天井板に対する補強構造に影響されることなく、化粧カバーを確実に支持部材に脱着でき作業性の向上と、構成部品の破損を防止して信頼性の向上を得られるなどの効果を奏する。
【発明を実施するための最良の形態】
【００１０】
［実施例］
以下、本発明の天井用換気扇の実施例について図面を参照して説明する。  
図１（Ａ）は換気扇本体１に対する化粧カバー２の取付け構造を説明する図、図１（Ｂ）は化粧カバー２の取付け直前状態を示す斜視図、図２は換気扇本体１の斜視図、図３は支持部材３の斜視図、図４は弾性掛止部材４の正面図、図５は弾性掛止部材４と係合部５の一部斜視図である。
【００１１】
部屋Ｒの天井板１０には、ここでは図示しない取付け用開口部（図６（Ａ），図７（Ｂ）に示す、１０ａ）が設けられていて、この開口部に沿って図示しない補強構造体（図６（Ａ），図７（Ｂ）に示す、３０）が備えられ、かつ換気扇本体１が取付けられている。この換気扇本体１は、金属板からなる外筐である本体ケース１１が天井裏に突出し、適宜な手段で天井裏の構成部材に取付け固定される。本体ケース１１の下面全体は開口していて、この開口部１２は部屋Ｒに臨ませられる。
【００１２】
本体ケース１１の開口部１２周縁に沿って鍔部１３が一体に設けられていて、この鍔部１３がここでは天井板１０の部屋Ｒ側に露出している。鍔部１３は、取付けねじ等の取付け具を用いて天井板１０を介し上述した補強構造体に取付け固定される。換気扇本体１内には送風機１５および後述する一対の支持部材３が収容されていて、それぞれ適宜な手段で本体ケース１１に取付け固定され、上記開口部１２に対向している。
【００１３】
上記送風機１５は、ケーシング１６内に備えられ、軸方向から吸込んで周方向に吹出す多翼型のファン１７と、このファン１７が回転軸に嵌着される、ここでは図示しないファン駆動用モータ（図６（Ａ），図７（Ｂ）に示す、１８）とから構成される。上記ケーシング１６は、上部側が開口され、この開口部周縁に沿って設けられる鍔部が本体ケース１１の上面部に取付け固定される。ケーシング１６周面はファン１７周面と所定間隔を存していて、ファン１７周面を覆う。
【００１４】
また、ケーシング１６の下面はファン１７内径と略同一径の開口部１６ａが形成されていて、ケーシング１６の外形直径と下面開口部１６ａの直径とは所定の寸法差がある。このようにして、ファン１７の吸込み方向に対向してケーシング１６は下面開口部１６ａを備えており、このケーシング下面開口部１６ａは換気扇本体１の開口部１２と対向する、いわゆるベルマウスとなる。ファン１７の吹出し方向であるケーシング１６の側面部一部は開口され、本体ケース１１の一側部に設けられる吹出し口１９と連通する。この吹出し口１９と対向する本体ケース１１の外面側に排気ダクト２０が取付けられる。
【００１５】
上記支持部材３は、その一部が送風機１５を構成するファンケーシング１６の下面部に取付けられ、大部分はファンケーシング１６と本体ケース１１の側面壁との間に位置する。そして、支持部材３は左右に対向する位置に一対備えられる。  
特に図３に拡大して示すように、上記支持部材３は合成樹脂材からなる射出成形品である。支持部材３は、幅方向寸法に対して長手方向寸法が極めて大に形成される取付け部２２と、この取付け部２２の一側部に一体に連設されるボス部２３とを備えている。
【００１６】
はじめにボス部２３から説明すると、補強用板体２４が取付け部２２側面に一体に連設され、この補強用板体２４の先端に一対のねじ座２５が所定間隔を存して直列に形成される。これらねじ座２５に取付けねじが挿通され、取付けねじの先端ねじ部は上記ファンケーシング１６の下面部に螺挿される。すなわち、取付けねじを介して支持部材３はファンケーシング１６に取付け固定される。
【００１７】
上記取付け部２２は、図示する表面側および下面側は所定の板厚を備え、図示しない裏面と上部は開放形成されていて、言わば空洞状をなす。そして取付け部２２は、ボス部側である第１の取付け部２２Ａと、この第１の取付け部２２Ａの側面に一体に連設される第２の取付け部２２Ｂとから構成される。  
取付け部２２の上端縁から第１の取付け部２２Ａの下面までの距離Ｌａは、取付け部２２の上端縁から第２の取付け部２２Ｂの下面までの距離Ｌｂよりも小に形成されている。したがって、第１の取付け部２２Ａ下面と第２の取付け部２２Ｂ下面とは所定の段差Ｓが存在する。取付け部２２の下端縁を基準にしてみると、第１の取付け部２２Ａ下面は高い位置にあり、第２の取付け部２２Ｂ下面は低い位置にある。
【００１８】
第１の取付け部２２Ａおよび第２の取付け部２２Ｂともに、下面一部は上方に略山形状に凹陥形成されていて、それぞれの寸法形状は互いに全く同一である。この凹陥部２６の左右両屈曲部は、傾斜部分と下面部に亘って細長い溝状の切欠き部２７が設けられる。そして、取付け部２２の図示しない側部で一方（図中右側）の切欠き部２７の近傍部位には孔部が設けられ、他方（図中左側）の切欠き部２７の近傍部位には矩形状の孔部２８が設けられる。
【００１９】
左右一対の支持部材３は、互いのボス部２３が内側であるファン１７中心部に対向し、第２の取付け部２２Ｂが外側であるケース本体１１の側面壁に対向するよう配置される。そして、互いのボス部２３はファンケーシング１６の下面開口部１６ａを介して互いに対向するように取付けられる。  
この換気扇本体１に対して上記化粧カバー２は、図１（Ａ）（Ｂ）のみに示す構成となっている。化粧カバー２は上方が開放される断面皿状で、その周縁の沿う部分のみ板状をなし、大部分は開口される。この開口部に吸込みグリル３５が嵌め込まれ、化粧カバー２の裏面側から取付け具（回動爪）を介して脱着自在に取付けられる。
【００２０】
さらに、化粧カバー２の裏面側における左右に対向する部位に、係合部である係合金具５が取付けられる。係合金具５は基端部が取付けねじ等の取付け具を介して化粧カバー２の板体部分に取付けられ、必要な剛性を確保している。基端部から化粧カバー２の内側に向かって係合片部Ｋが突設されていて、この係合片部Ｋの先端は図５に示すように先端以外の部分よりも幅寸法が大になっている。
【００２１】
上記係合片部Ｋの先端と上記支持部材３のいずれかの取付け部２２とは弾性掛止部材であるばね部材４が係り合う。このばね部材４は図４に示す形状構造となっていて、化粧カバー２を取付け保持するのに必要な剛性を有する太さのばね線から構成される。ばね部材４は、複数回旋回される所定直径の環状部３５と、この環状部３５の両端部から一体に、かつ左右に延設される２本の腕部３６とからなる。互いの腕部３６はある程度曲線状に形成され、先端は略フック状にした引掛け部３７となっている。
【００２２】
上記ばね部材４は、使用されない状態で２本の腕部３６が実線で示すように左右に大きく拡がっており、使用に先立って２本の腕部３６を弾性力に抗して互いに内側に押圧して、図４に二点鎖線で示すように狭める。さらに、腕部３６先端の引掛け部３７相互が近接する位置まで腕部３６を弾性変形させてよい。  
この状態を保持し、後述するような条件から上記支持部材３の第１、第２の取付け部２２Ａ，２２Ｂのいずれかを選択して、ばね部材４を取付ける。すなわち、両方の引掛け部３７を狭めた状態にしていずれかの取付け部２２の凹陥部２６に対向し、かつ切欠き部２７に挿入する。そして、腕部３６に対する付勢力を除去する。腕部３６には弾性復帰力が作用して、再び図４に実線で示す左右に拡がった形態に戻る。
【００２３】
図３に示す支持部材３の取付け部２２に上述するばね部材４が装着されると、図の右側の切欠き部２７に挿入される右側の引掛け部３７は支持部材３の右側部から突出し、ついには右側の腕部３６のほとんど全体が支持部材３側部から突出する。図の左側の切欠き部２７に挿入される左側の引掛け部３７は支持部材３の裏面側へ突出し、ついには左側の腕部３６のほとんど全体が支持部材３の裏面側へ突出する。その結果、ばね部材４の環状部３５が取付け部２２を構成する凹陥部２６に挿入され、かつ密着状態となる。
【００２４】
化粧カバー２を換気扇本体１に取付けるには、取付け部２２の凹陥部２６に密着しているばね部材４の環状部３５を持って引き降ろす。環状部３５とともに腕部３６は弾性変形しながら、切欠き部２７から引き出される。最大限引き出すことにより、必然的に引掛け部３７が切欠き部２７と孔部２８との間の部分に掛止され、それ以上の引き出しは規制される。
【００２５】
この状態を保持して、図５に示すように化粧カバー２に設けられる係合金具５の係合片部Ｋをばね部材４の環状部３５に挿入する。係合片部Ｋの先端が確実に環状部３５に挿入したことを確認したら、化粧カバー２を軽く上方へ押し出し付勢する。すると、ばね部材４の腕部３６に再び弾性復帰力が作用して、引掛け部３７とともに腕部３６が切欠き部２７から突出し、環状部３５が上方へ移動する。環状部３５に掛止状態にある係合片部Ｋを介して化粧カバー２が持ち上げられ、ついには化粧カバー２の上端縁が天井板１０に密着する。すなわち、化粧カバー２はばね部材４の弾性力で換気扇本体１に装着される。
【００２６】
図６（Ａ）は、天井板１０に対する補強構造を示していて、天井板１０に設けられる取付け用開口部１０ａの周縁に沿い、天井板１０の上面に補強用枠体（いわゆる、野縁）３０が設けられる。換気扇本体１は補強用枠体３０の内側開口部３０ａと天井板１０に設けられる取付け用開口部１０ａに挿入される。換気扇本体１の下面開口部１２周縁に沿って設けられる鍔部１３が天井板１０下面（部屋Ｒ対向面でもある）に露出し、取付け具を介して取付けられる。
【００２７】
このような天井板１０に対する補強構造と、換気扇本体１の天井板１０に対する取付け構造であるので、換気扇本体１に対して化粧カバー２の取付け位置が近い場合の、化粧カバー２の取付け構造となる。  
そこで、図６（Ａ）（Ｂ）に示すように、ばね部材４の引掛け部３７を挿入する対象先は上段側の第１の取付け部２２Ａを選択する。同図は、ばね部材４の引掛け部３７を第１の取付け部２２Ａの切欠き部２７に挿入して左右の腕部３６を拡げさせたあと、環状部３５を持って引き降ろし引掛け部３７を第１の取付け部２２Ａに掛止させた状態を示す。
【００２８】
図７（Ａ）は、天井板１０に対する別の補強構造を示していて、天井板１０に設けられる取付け用開口部１０ａの周縁に沿い、天井板１０の上面に補強用枠体（いわゆる、野縁）３０が設けられる。換気扇本体１の下面開口部１２周縁に沿って設けられる鍔部１３は、補強用枠体３０の上面に取付け具を介して取付けられる。  
このような天井板１０に対する補強構造と、換気扇本体１の天井板１０に対する取付け構造であるので、換気扇本体１に対して化粧カバー２の取付け位置が遠い場合の化粧カバー２の取付け構造となる。
【００２９】
そこで、図７（Ａ）（Ｂ）に示すように、ばね部材４の引掛け部３７を挿入する対象先は下段側の第２の取付け部２２Ｂを選択する。同図は、ばね部材４の引掛け部２２Ｂを第２の取付け部２２Ｂの切欠き部２７に挿入して左右の腕部３６を拡げさせたあと、環状部３５を持って引き降し引掛け部３７を第２の取付け部２２Ｂに掛止させた状態を示す。
【００３０】
図６および図７のいずれの構成であっても、ばね部材４の環状部３５が天井板１０から部屋Ｒ側へ充分突出することになるので、環状部３５に化粧カバー２に設けられる係合金具５の係合片部Ｋを挿入し易い。一旦挿入したあとは、化粧カバー２を軽く押上げればばね部材４の腕部３６による弾性復帰力の作用で化粧カバー２は引き上げられ、天井板１０に確実に密着する。したがって、化粧カバー２の取付けが極めて容易で作業性の向上を得られる。
【００３１】
このとき、引掛け部３７と腕部３６の一部が取付け部２２の切欠き部２７から突出して余裕のある状態になる。腕部３６が伸び切るような無理な力が加わった状態ではないから、係合片部Ｋに過大な力が加わることもなく、破断等の虞れをなくして信頼性の向上を得られる。  
メンテナンスにあたって化粧カバー２を持って引き降ろすと、係合金具５を介してばね部材４が引下げられる。化粧カバー２と天井板１０との間に隙間が生じ、この隙間から目視して係合金具５の係合片部Ｋをばね部材４の環状部３５から引き抜けばよい。このようにして、化粧カバー２の取外しの作業も極めて容易であり、作業性の向上を得られる。
【００３２】
なお、上述した実施例構造では、取付け部２２において第１の取付け部２２Ａと第２の取付け部２２Ｂを備えた二段構成としたが、この数に限定されるものではなく、それ以上の多段構成であっても何らの支障もない。弾性掛止部材４であるばね部材の形態は図の構成に限定されるものではなく、種々の変形実施例が考えられる。天井板１０に対する補強構造は図の構成に限定されるものではなく、種々の変形実施例が考えられる。要は、本発明の要旨を越えない範囲内で種々変形実施が可能である。
【図面の簡単な説明】
【００３３】
【図１】本発明の実施例に係る、互いに換気扇本体に化粧カバーを取付ける状態を説明する図。
【図２】同実施例に係る、換気扇本体の一部を分解した斜視図。
【図３】同実施例に係る、取付け部の斜視図。
【図４】同実施例に係る、ばね部材の正面図。
【図５】同実施例に係る、ばね部材の環状部に係合金具の係合片部を挿入する図。
【図６】同実施例に係る、第１の取付け部にばね部材を取付けた状態の換気扇本体の断面図と一部斜視図。
【図７】同実施例に係る、第２の取付け部にばね部材を取付けた状態の換気扇本体の断面図と一部斜視図。
【符号の説明】
【００３４】
Ｒ…部屋、１０…天井板、１０ａ…取付け用開口部、１２…開口部、１７…ファン、１８…ファン駆動用モータ、１５…送風機、１…換気扇本体、２２…取付け部、３…支持部材、３…係合金具（係合部）、３５…環状部、３６…腕部、４…ばね部材（弾性掛止部材）、２２Ａ…第１の取付け部、２２Ｂ…第２の取付け部。
【図１】
2005134033.tif 000003
【図２】
2005134033.tif 000004
【図３】
2005134033.tif 000005
【図４】
2005134033.tif 000006
【図５】
2005134033.tif 000007
【図６】
2005134033.tif 000008
【図７】
2005134033.tif 000009